(57)【要約】      （修正有）【課題】従来よりも構成が簡略で、高さ方向の任意の位置で植物の茎を保持可能で、かつ、水平方向から力が加わっても倒れ難い植物支持具を提供する。【解決手段】任意の位置に少なくとも一つの植物保持手段を固定可能な棒状の部材と、前記棒状部材の一方の端部が嵌合可能な貫通孔が一定間隔で設けられなる板状の部材を調製し、板状の部材の貫通孔に、棒状の部材の一方の端を係合させることにより、それぞれの複数箇を組み立てて、水平方向の力を受けても倒れ難い植物支持具とする。棒状の部材の植物保持手段は、環状の部材、鉤状の部材の少なくともいずれかであり、棒状の部材の一方の端部には、尖端形状を形成し、他方の端部は、端部の方の径が小さい縮径部を形成することで、棒状の部材の地表への設置と、棒状の部材と板状の部材の組み立て作業の効率を向上する。【選択図】なし【特許請求の範囲】
【請求項１】
任意の位置に少なくとも一つの植物保持手段を固定可能な棒状の部材と、前記棒状の部材の一方の端部が嵌合可能な貫通孔が一定間隔で設けられなる板状の部材を有することを特徴とする植物支持具。
【請求項２】
前記植物保持手段は、環状の部材、鉤状の部材の少なくともいずれかであることを特徴とする、請求項１に記載の植物支持具。
【請求項３】
前記棒状部材の一方の端部は、尖端形状を有し、他方の端部は、端部の方の径が小さい縮径部を有することを特徴とする、請求項１または請求項２に記載の植物支持具。
【発明の詳細な説明】
【技術分野】
【０００１】  本発明は、植物の支持に用いられる支持具で、特に茎の部分を支持して、植物の成長を促す植物支持具に関するものである。
【背景技術】
【０００２】  園芸などの植栽の栽培においては、植物の茎などを支持して、植物が倒れないようにするために、長尺の棒を植物の茎の成長方向に合わせて、植物の傍に植設し、茎の適当な位置を棒に結束することが行われている。【０００３】  また、茎など支持を簡便に行うための装置類が開示されている。その例として特許文献１には、植物に沿って立設される支柱と、該支柱に取付けられて植物を支持する植物支持具とを備え、支柱にはその長手方向に溝部が延設され、植物支持具が溝部内を移動可能に取付けられ、植物の成長に合わせて植物支持具の位置を調整することが可能な、植物支持装置が開示されている。【０００４】  しかしながら、ここに開示されている植物支持具は、長さ方向に溝を設けることが必要であり、製造コストの面で改善の余地がある。また、このような構造の植物支持装置は、地中に突き刺して用いるが、突き刺す深さを長くしないと、水平方向から力が加わると倒れてしまうことがあり、植物の支持装置としての機能を発現できない結果となる。
【先行技術文献】
【特許文献】
【０００５】
【特許文献１】特開２０１７−０９９２９４号公報
【発明の概要】
【発明が解決しようとする課題】
【０００６】  従って、本発明の課題は、従来よりも構成が簡略で、水平方向から力が加わっても倒れ難い植物支持具を提供することにある。【０００７】  本発明は、前記課題の解決策として、地面に対してほぼ垂直に植設した植物支持具に、水平方向にも支持可能な補助支持具を用いることが可能な部材と、当該部材を簡単に取り付けることを可能とする植物支持具の構造を検討した結果、なされたものである。【０００８】  本発明は、任意の位置に少なくとも一つの植物保持手段を固定可能な棒状の部材と、前記棒状部材の一方の端部が嵌合可能な貫通孔が一定間隔で設けられなる板状の部材を有することを特徴とする植物支持具である。【０００９】  また、本発明は、前記植物保持手段が、環状の部材、鉤状の部材の少なくともいずれかであることを特徴とする、前記の植物支持具である。【００１０】  また、本発明は、前記棒状部材の一方の端部が、尖端形状を有し、他方の端部が、端部の方が径が小さい縮径部を有することを特徴とする、前記の植物支持具である。
【発明の効果】
【００１１】  本発明に係る植物支持具は、棒状の部材に環状または鉤状の植物保持手段が任意の位置に取り付け可能な棒状部材と、棒状部材の一方の端部に嵌合可能な貫通穴が設けられた板状の部材からなるので、これらを組み合わせることで、水平方向の力が負荷されても、倒れ難いという機能を有する。【００１２】  また、本発明に係る植物支持具は、板状部材の貫通孔の内径を、棒状の部材の縮径部の径の小さい部分より大きくし、径の大きい部分よりも小さくすることで、土壌に突き立てた棒状の部材の縮径部に、貫通孔を挿通するだけで、組み立て作業が完了するので、設置が容易である。
【図面の簡単な説明】
【００１３】
【図１】  本発明の植物支持具に係る棒状の部材の例を示す斜視図、図１（ａ）は環状の植物保持手段、図１（ｂ）は鉤状の植物保持手段を備えた例。
【図２】  本発明の植物支持具に係る板状の部材の例を示す図、図２（ａ）正平面図、図２（ｂ）は側面図。
【図３】  本発明の植物支持具の棒状の部材と板状の部材を組み立てた状態の一例を示す斜視図。
【発明を実施するための形態】
【００１４】  次に、本発明を実施するための形態について、具体的な例の図面を参照しながら、説明する。
【００１５】  図１は、本発明の植物支持具に係る棒状の部材の例を示す斜視図で、図１（ａ）は環状の植物保持手段を備えた例、図１（ｂ）は鉤状の植物保持手段を備えた例である。
【００１６】  環状の植物保持手段を備えた棒状の部材１ａは、図における上端の部分に段差部３ａと小径部２ａを備えた縮径部を有する。また、図における下端は、尖端部４ａを備え、設置の際の土壌への突き刺し作業の効率向上に資する。植物の支持は、環状部材５ａの内部に植物の茎を挿通するもので、環状部材５ａは棒状の部材１ａに遊嵌した状態で取付られ、位置の固定には、図示しない留めネジが用いられる。
【００１７】  鉤状の植物保持手段を備えた棒状の部材２ａは、図における上端の部分に、同様に段差３ｂと小径部２ｂを備えた縮径部を有する。また、図における下端に尖端部４ｂが設けられているのも同様である。鉤状部材５ｂは、例えば、植物の茎を直接引っ掛けたり、植物の茎に取り付けた紐を結び付けたりして使用する。そして図１（ａ）の棒状の部材１ａでも、図１（ｂ）に棒状の部材でも、植物の成長に合わせて、植物保持手段の位置が調整可能なので、栽培に必要な作業量の減少に繋がる。
【００１８】  図２は、本発明の植物支持具に係る板状の部材の例を示す図で、図２（ａ）は正面図、図２（ｂ）は側面図である。この板状部材６には、一定間隔で、貫通孔７が設けられている。貫通孔７の内径は、小径部２ａ、２ｂよりも大きく、段差部３ａ、３ｂの外径よりも小さくなっている。したがって、棒状の部材１ａ、２ａを貫通孔７に挿通させると、板状の部材６は段差部３ａ、３ｂで係止される。
【００１９】  図３は、本発明の植物支持具の棒状の部材と板状の部材を組み立てた状態の一例を示す斜視図である。ここでは、板状の部材８ａ、８ｂを交差させた状態に配し、貫通孔の適当な位置に棒状の部材９を係合させた状態を示している。４枚の板状の部材を、それぞれの両端の貫通孔の位置を合わせて井桁状に組み合わせ、それぞれの交差位置の貫通孔に、棒状の部材を係合すると、棒状の部材と板状の部材が相互に支持しあう構成となり、１本の棒状の部材に水平方向から力が負荷されても、棒状の部材が倒れ難くなる。
【００２０】  以上に説明したように、本発明によれば、簡単な構造で支持手段の位置を植物の成長に合わせて調製可能で、しかも水平方向に力が負荷されても簡単には倒れない植物支持具を提供できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２１】１ａ，２ａ，９・・・棒状の部材      ２ａ，２ｂ・・・小径部
３ａ，３ｂ・・・段差部      ４ａ，４ｂ・・・先端部
５ａ・・・環状部材      ５ｂ・・・鉤状部材
６，８ａ，８ｂ・・・板状の部材      ７・・・貫通孔
【図１】
2020124179.tif 000002
【図２】
2020124179.tif 000003
【図３】
2020124179.tif 000004